(57)【要約】【課題】撮影する画像のフレームレートが低い場合であっても、撮影を良好に行うことができるようにする。【解決手段】撮像部１０１により撮影されて出力される動画像データを表示部１０４に表示する撮像装置において、前記撮像部１０１から出力される動画像データを、前記表示部１０４に表示される動画像のフレームレートの値と、記録媒体１０８に記録する動画像のフレームレートの値とを個別に設定するように制御する制御手段１１０を設け、低いフレームレートの映像を撮影している場合に、表示部１０４に表示される撮影画像のフレームレートが低くなってしまう不都合を防止して、低いフレームレートの映像を撮影していても、表示部１０４の表示画面の更新周期が長くなるのを防止できるようにする。【選択図】  図１
2010114857.tif 000002
【特許請求の範囲】
【請求項１】
撮像部により撮影されて出力される動画像データを表示部に表示する撮像装置であって、
前記撮像部から出力される動画像データを、前記表示部に表示される動画像のフレームレートの値と、記録媒体に記録する動画像のフレームレートの値とを個別に設定するように制御する制御手段を有することを特徴とする撮像装置。
【請求項２】
撮像部と、
前記撮像部により撮影される動画像データの記録フレームレートを任意の値に設定する設定手段と、
前記設定手段により設定された記録フレームレートと、表示部に表示する動画像の表示フレームレートとに基づいて、前記撮像部から出力される動画像データのフレームレートを決定し、前記決定したフレームレートで動画像データを出力するよう前記撮像部を制御する制御手段と、
前記撮像部より出力される動画像データのフレームレートを、前記表示フレームレートに変換する第１の変換手段と、
前記第１の変換手段により表示フレームレートに変換された動画像データを前記表示部に表示する表示手段と、
前記第１の変換手段から出力された動画像データのフレームレートを前記記録フレームレートに変換する第２の変換手段と、
前記第２の変換手段から出力された動画像データを、所定のフレームレートで再生するための管理情報と共に記録媒体に記録する記録手段とを備えることを特徴とする撮像装置。
【請求項３】
撮像部と、
前記撮像部により撮影される動画像データの記録フレームレートと、フレーム加算数とを任意の値に設定する設定手段と、
前記設定手段により設定された記録フレームレートと前記フレーム加算数、前記撮像部の感度、及び、表示部に表示する動画像の表示フレームとに基づいて、前記撮像部が出力する動画像データのフレームレートを決定し、前記決定したフレームレートの動画像データを出力するよう前記撮像部を制御する制御手段と、
前記撮像部より出力された動画像データのフレームレートを前記表示フレームレートに変換する変換手段と、
前記変換手段から出力された動画像データを前記表示フレームレートで表示する表示手段と、
前記設定手段により設定されたフレーム加算数に応じて、前記変換手段から出力された複数のフレームの動画像データを加算して、前記動画像データのフレームレートを前記記録フレームレートに変換するフレーム加算手段と、
前記フレーム加算手段から出力された動画像データのゲインを制御する手段と、
前記ゲイン制御手段から出力された動画像データを、所定のフレームレートで再生するための管理情報と共に記録媒体に記録する記録手段とを備えることを特徴とする撮像装置。
【請求項４】
撮像部と、
前記撮像部により撮影される動画像データの記録フレームレートと、フレーム加算数とを任意の値に設定する設定手段と、
前記設定手段により設定された記録フレームレートとフレーム加算数、及び、前記撮像部の感度に基づいて、前記撮像部が出力する動画像データのフレームレートを決定し、前記決定したフレームレートの動画像データを出力するよう前記撮像部を制御する制御手段と、
前記撮像部から出力された動画像データのフレームレートを表示フレームレートに変換する変換手段と、
前記変換手段から出力された動画像データを前記表示フレームレートで表示する表示手段と、
前記設定手段により設定されたフレーム加算数に応じて前記撮像部から出力された複数のフレームの動画像データを加算して、前記動画像データのフレームレートを前記記録フレームレートに変換するフレーム加算手段と、
前記フレーム加算手段から出力された動画像データのゲインを制御する手段と、
前記ゲイン制御手段から出力された動画像データを、所定のフレームレートで再生するための管理情報と共に記録媒体に記録する記録手段とを備えることを特徴とする撮像装置。
【請求項５】
撮像部により撮影されて出力される動画像データを表示部に表示する撮像方法であって、
前記撮像部から出力される動画像データを、前記表示部に表示される動画像のフレームレートの値と、記録媒体に記録する動画像のフレームレートの値とを個別に設定するように制御する制御工程を有することを特徴とする撮像方法。
【請求項６】
撮像部により撮影される動画像データの記録フレームレートを任意の値に設定する設定工程と、
前記設定工程において設定された記録フレームレートと、表示部に表示する動画像の表示フレームレートとに基づいて、前記撮像部から出力される動画像データのフレームレートを決定し、前記決定したフレームレートで動画像データを出力するよう前記撮像部を制御する制御工程と、
前記撮像部より出力される動画像データのフレームレートを、前記表示フレームレートに変換する第１の変換工程と、
前記第１の変換工程において表示フレームレートに変換された動画像データを前記表示部に表示する表示工程と、
前記第１の変換工程から出力された動画像データのフレームレートを前記記録フレームレートに変換する第２の変換工程と、
前記第２の変換工程から出力された動画像データを、所定のフレームレートで再生するための管理情報と共に記録媒体に記録する記録工程とを備えることを特徴とする撮像方法。
【請求項７】
撮像部により撮影される動画像データの記録フレームレートと、フレーム加算数とを任意の値に設定する設定工程と、
前記設定工程において設定された記録フレームレートと前記フレーム加算数、前記撮像部の感度、及び、表示部に表示する動画像の表示フレームとに基づいて、前記撮像部が出力する動画像データのフレームレートを決定し、前記決定したフレームレートの動画像データを出力するよう前記撮像部を制御する制御工程と、
前記撮像部より出力された動画像データのフレームレートを前記表示フレームレートに変換する変換工程と、
前記変換工程から出力された動画像データを前記表示フレームレートで表示する表示工程と、
前記設定工程において設定されたフレーム加算数に応じて、前記変換工程から出力された複数のフレームの動画像データを加算して、前記動画像データのフレームレートを前記記録フレームレートに変換するフレーム加算工程と、
前記フレーム加算工程から出力された動画像データのゲインを制御する工程と、
前記ゲイン制御工程から出力された動画像データを、所定のフレームレートで再生するための管理情報と共に記録媒体に記録する記録工程とを備えることを特徴とする撮像方法。
【請求項８】
撮像部により撮影される動画像データの記録フレームレートと、フレーム加算数とを任意の値に設定する設定工程と、
前記設定工程において設定された記録フレームレートとフレーム加算数、及び、前記撮像部の感度に基づいて、前記撮像部が出力する動画像データのフレームレートを決定し、前記決定したフレームレートの動画像データを出力するよう前記撮像部を制御する制御工程と、
前記撮像部から出力された動画像データのフレームレートを表示フレームレートに変換する変換工程と、
前記変換工程から出力された動画像データを前記表示フレームレートで表示する表示工程と、
前記設定工程において設定されたフレーム加算数に応じて前記撮像部から出力された複数のフレームの動画像データを加算して、前記動画像データのフレームレートを前記記録フレームレートに変換するフレーム加算工程と、
前記フレーム加算工程から出力された動画像データのゲインを制御する工程と、
前記ゲイン制御工程から出力された動画像データを、所定のフレームレートで再生するための管理情報と共に記録媒体に記録する記録工程とを備えることを特徴とする撮像方法。
【発明の詳細な説明】
【技術分野】
【０００１】
本発明は撮像装置及び撮像方法に関し、特に、単位時間当たりに撮影する画面数を変更することが可能な撮像装置に用いて好適な技術に関する。
【背景技術】
【０００２】
従来、映画製作等では、特殊な撮影効果を得るために、カメラで撮影する際に、単位時間当たりに撮影するフレーム（画面、コマ）数、即ちフレームレートを変えて撮影することがある。
【０００３】
例えば、一般に、映画は１秒間に２４コマの画像を表示する。そこで、撮影時に１秒間に２５コマ以上の画像を撮影し、これを２４コマ／秒で再生することにより、スローの撮影効果が得られるようにしている。また、これとは逆に、毎秒２４コマよりも少ないコマ数で撮影した画像を、２４コマ／秒で再生するとクイックの撮影効果が得られる。
【０００４】
一方、近年、デジタル信号処理技術や撮像素子の技術的な進歩、圧縮技術の進歩などにより、高精細な映像を撮影可能なデジタルビデオカメラが普及している。このようなデジタルビデオカメラでは、撮影した映像データのフレームレートを比較的容易に変換することができる。そこで、スローやクイックの再生効果を得ることができる撮像装置が提案されている（例えば、特許文献１参照）。
【０００５】
【特許文献１】特開２００３−１５３０５４号公報
【発明の開示】
【発明が解決しようとする課題】
【０００６】
前述したデジタルビデオカメラなどの撮像装置においては、一般に、撮影している動画像をＬＣＤパネルやビューファインダーなどの表示部に適宜表示する。そして、ユーザは表示部に表示された撮影画像を見ながらズーム操作やフォーカス調整を行うことができるように構成されている。
【０００７】
しかしながら、前述のように、低いフレームレートの映像を撮影している場合、前記表示部に表示される撮影画像のフレームレートも低くなってしまう。前記表示部に表示される画像のフレームレートが低くなると、表示画面の更新周期も長くなるため、ユーザは、撮影しながら画角やフォーカスを調整することが困難になり、撮影を良好に行うことが難しくなってしまうという問題点があった。
【０００８】
本発明は前述の問題点に鑑み、撮影する画像のフレームレートが低い場合であっても、撮影を良好に行うことができるようにすることを目的としている。
【課題を解決するための手段】
【０００９】
本発明の撮像装置は、撮像部により撮影されて出力される動画像データを表示部に表示する撮像装置であって、前記撮像部から出力される動画像データを、前記表示部に表示される動画像のフレームレートの値と、記録媒体に記録する動画像のフレームレートの値とを個別に設定するように制御する制御手段を有することを特徴とする。
また、本発明の撮像装置の他の特徴とするところは、撮像部と、前記撮像部により撮影される動画像データの記録フレームレートを任意の値に設定する設定手段と、前記設定手段により設定された記録フレームレートと、表示部に表示する動画像の表示フレームレートとに基づいて、前記撮像部から出力される動画像データのフレームレートを決定し、前記決定したフレームレートで動画像データを出力するよう前記撮像部を制御する制御手段と、前記撮像部より出力される動画像データのフレームレートを、前記表示フレームレートに変換する第１の変換手段と、前記第１の変換手段により表示フレームレートに変換された動画像データを前記表示部に表示する表示手段と、前記第１の変換手段から出力された動画像データのフレームレートを前記記録フレームレートに変換する第２の変換手段と、前記第２の変換手段から出力された動画像データを、所定のフレームレートで再生するための管理情報と共に記録媒体に記録する記録手段とを備えることを特徴とする。
また、本発明の撮像装置のその他の特徴とするところは、撮像部と、前記撮像部により撮影される動画像データの記録フレームレートと、フレーム加算数とを任意の値に設定する設定手段と、前記設定手段により設定された記録フレームレートと前記フレーム加算数、前記撮像部の感度、及び、表示部に表示する動画像の表示フレームとに基づいて、前記撮像部が出力する動画像データのフレームレートを決定し、前記決定したフレームレートの動画像データを出力するよう前記撮像部を制御する制御手段と、前記撮像部より出力された動画像データのフレームレートを前記表示フレームレートに変換する変換手段と、前記変換手段から出力された動画像データを前記表示フレームレートで表示する表示手段と、前記設定手段により設定されたフレーム加算数に応じて、前記変換手段から出力された複数のフレームの動画像データを加算して、前記動画像データのフレームレートを前記記録フレームレートに変換するフレーム加算手段と、前記フレーム加算手段から出力された動画像データのゲインを制御する手段と、前記ゲイン制御手段から出力された動画像データを、所定のフレームレートで再生するための管理情報と共に記録媒体に記録する記録手段とを備えることを特徴とする。
また、本発明の撮像装置のその他の特徴とするところは、撮像部と、前記撮像部により撮影される動画像データの記録フレームレートと、フレーム加算数とを任意の値に設定する設定手段と、前記設定手段により設定された記録フレームレートとフレーム加算数、及び、前記撮像部の感度に基づいて、前記撮像部が出力する動画像データのフレームレートを決定し、前記決定したフレームレートの動画像データを出力するよう前記撮像部を制御する制御手段と、前記撮像部から出力された動画像データのフレームレートを表示フレームレートに変換する変換手段と、前記変換手段から出力された動画像データを前記表示フレームレートで表示する表示手段と、前記設定手段により設定されたフレーム加算数に応じて前記撮像部から出力された複数のフレームの動画像データを加算して、前記動画像データのフレームレートを前記記録フレームレートに変換するフレーム加算手段と、前記フレーム加算手段から出力された動画像データのゲインを制御する手段と、前記ゲイン制御手段から出力された動画像データを、所定のフレームレートで再生するための管理情報と共に記録媒体に記録する記録手段とを備えることを特徴とする。
【００１０】
本発明の撮像方法は、撮像部により撮影されて出力される動画像データを表示部に表示する撮像方法であって、前記撮像部から出力される動画像データを、前記表示部に表示される動画像のフレームレートの値と、記録媒体に記録する動画像のフレームレートの値とを個別に設定するように制御する制御工程を有することを特徴とする。
また、本発明の他の特徴とするところは、撮像部により撮影される動画像データの記録フレームレートを任意の値に設定する設定工程と、前記設定工程において設定された記録フレームレートと、表示部に表示する動画像の表示フレームレートとに基づいて、前記撮像部から出力される動画像データのフレームレートを決定し、前記決定したフレームレートで動画像データを出力するよう前記撮像部を制御する制御工程と、前記撮像部より出力される動画像データのフレームレートを、前記表示フレームレートに変換する第１の変換工程と、前記第１の変換工程において表示フレームレートに変換された動画像データを前記表示部に表示する表示工程と、前記第１の変換工程から出力された動画像データのフレームレートを前記記録フレームレートに変換する第２の変換工程と、前記第２の変換工程から出力された動画像データを、所定のフレームレートで再生するための管理情報と共に記録媒体に記録する記録工程とを備えることを特徴とする。
また、本発明の撮像方法のその他の特徴とするところは、撮像部により撮影される動画像データの記録フレームレートと、フレーム加算数とを任意の値に設定する設定工程と、前記設定工程において設定された記録フレームレートと前記フレーム加算数、前記撮像部の感度、及び、表示部に表示する動画像の表示フレームとに基づいて、前記撮像部が出力する動画像データのフレームレートを決定し、前記決定したフレームレートの動画像データを出力するよう前記撮像部を制御する制御工程と、前記撮像部より出力された動画像データのフレームレートを前記表示フレームレートに変換する変換工程と、前記変換工程から出力された動画像データを前記表示フレームレートで表示する表示工程と、前記設定工程において設定されたフレーム加算数に応じて、前記変換工程から出力された複数のフレームの動画像データを加算して、前記動画像データのフレームレートを前記記録フレームレートに変換するフレーム加算工程と、前記フレーム加算工程から出力された動画像データのゲインを制御する工程と、前記ゲイン制御工程から出力された動画像データを、所定のフレームレートで再生するための管理情報と共に記録媒体に記録する記録工程とを備えることを特徴とする。
また、本発明の撮像方法のその他の特徴とするところは、撮像部により撮影される動画像データの記録フレームレートと、フレーム加算数とを任意の値に設定する設定工程と、前記設定工程において設定された記録フレームレートとフレーム加算数、及び、前記撮像部の感度に基づいて、前記撮像部が出力する動画像データのフレームレートを決定し、前記決定したフレームレートの動画像データを出力するよう前記撮像部を制御する制御工程と、前記撮像部から出力された動画像データのフレームレートを表示フレームレートに変換する変換工程と、前記変換工程から出力された動画像データを前記表示フレームレートで表示する表示工程と、前記設定工程において設定されたフレーム加算数に応じて前記撮像部から出力された複数のフレームの動画像データを加算して、前記動画像データのフレームレートを前記記録フレームレートに変換するフレーム加算工程と、前記フレーム加算工程から出力された動画像データのゲインを制御する工程と、前記ゲイン制御工程から出力された動画像データを、所定のフレームレートで再生するための管理情報と共に記録媒体に記録する記録工程とを備えることを特徴とする。
【発明の効果】
【００１１】
本発明によれば、クイックやスローの撮影効果を得る撮影時に、表示画像でズームやフォーカスの調整が容易になる。
【発明を実施するための最良の形態】
【００１２】
（第１の実施形態）
次に、図面を参照しながら本発明の実施形態を説明する。
まず、図７を参照しながら、本実施形態の撮像装置に係る、クイック、スロー効果について説明する。
例えば、３倍速クイック撮影を実現するには、図７（ａ）に示すように、カメラ撮影を１／２０秒のフレームレートで行い、図７（ｂ）に示すように、１／６０秒のフレームレートで撮影した映像として記録媒体に記録する。そして、記録されたデータを１／６０秒のフレームレートで再生する。
【００１３】
また、２倍速スロー撮影を実現するには、図７（ｃ）に示すように、カメラ撮影を１／１２０秒のフレームレートで行い、図７（ｄ）に示すように、１／６０秒のフレームレートで撮影した映像として記録媒体に記録する。そして、記録されたデータを１／６０秒のフレームレートで再生するようにしている。
【００１４】
図１は、本発明の実施形態としてのビデオカメラ１００の構成例を示すブロック図である。
図１のビデオカメラ１００は、ユーザが撮影する動画像の単位時間当たりのフレーム数（フレームレート）を任意に設定して動画像を撮影することができる。また、ビデオカメラ１００は、撮影された動画像のフレームレートに関わらず、撮影中に表示する動画像の画面の更新周期を決められたフレームレートに近い値としている。以下、ビデオカメラ１００を構成する各部の機能について説明する。
【００１５】
図１において、撮像部１０１は、被写体像を撮影し、動画像データを出力する。撮像部１０１の撮影タイミングは、タイミング制御部１０９により変更される。１０２はフラグ生成部であり、撮像部１０１から出力された動画像データのうち指定されたフレームを識別するためのフラグを付加する機能を有する。１０３は第１の変換部であり、撮影された動画像のフレームレートを表示用のフレームレートに変換する機能を有する。１０４は表示部であり、第１の変換部１０３から出力された撮影画像を表示する機能を有する。
【００１６】
１０５は第２の変換部であり、第１の変換部１０３から出力された動画像データのフレームレートを記録用フレームレートＬに変換する機能を有する。１０６は圧縮部であり、第２の変換部１０５から出力された動画像データの情報量を圧縮する機能を有する。１０７は記録部であり、圧縮部１０６により圧縮された動画像データを記録媒体１０８に記録する機能を有する。１０８は記録媒体である。本実施形態では、記録媒体１０８として、大容量ハードディスクドライブやメモリカード、光ディスク等を用いる。
【００１７】
１０９はタイミング制御部であり、撮像部１０１の動作タイミングを制御する機能を有する。１１０は各部の動作を制御するＣＰＵ、１１１は各種のスイッチ、ボタン等を有する操作部である。
【００１８】
本実施形態のビデオカメラ１００において、ユーザは操作部１１１を操作することにより、撮影する動画像データの１秒あたりのフレーム数Ｌを任意の値に設定することが可能である。なお、本実施形態においては、設定可能なフレームレートとして、１フレーム／秒〜１２０フレーム／秒の間で任意の値を設定可能とする。
【００１９】
また、ビデオカメラ１００において、ユーザは、表示部１０４に表示する撮影画像の画面更新周期Ｐ（フレームレート）を、所定値の中から適宜選択して設定することができる。例えば、表示フレームレートＰとして、３０フレーム／秒、５０フレーム／秒、６０フレーム／秒のうち、何れか１つを任意に選択可能であるとする。
【００２０】
ＣＰＵ１１０は、撮影画像の記録フレームレートＬと表示フレームレートＰが設定されると、これらフレームレートＬと表示フレームレートＰの値に基づいて、撮影中における各部の動作を制御する。また、撮像部１０１は、レンズ等の光学部やモータ等のメカニズムを有し、ユーザは操作部１１１を操作することにより光学部を調整し、画角やフォーカスなどを調整することが可能である。
【００２１】
この状態で、ユーザが操作部１１１を操作することにより撮影開始を指示すると、ＣＰＵ１１０は、タイミング制御部１０９に対し、「Ｌ×Ｎ（Ｎは１以上の整数）フレーム／秒」の動画像データを撮影するよう、Ｎの値を決定して指示する。
【００２２】
タイミング制御部１０９は、指定された撮影フレームレートに基づいて撮像部１０１における撮像素子の駆動タイミングを制御し、１／（Ｌ×Ｎ）秒毎のタイミングで撮像された動画像データをフラグ生成部１０２に出力する。ここで、本実施形態においては、「Ｌ×Ｎ」が表示フレームレートＰを超えない最大の値となるように設定する。例えば、Ｐを６０、Ｌを１７とすると、Ｎは３となる。
【００２３】
フラグ生成部１０２は、ＣＰＵ１１０から指示された値Ｎに基づいて、撮像部１０１から出力されたフレームレートＬ×Ｎの動画像データ中、Ｎフレーム毎に選択したフレームに対してフラグを付加する。つまり、フラグ生成部１０２は、撮像部１０１からの動画像データ中、１／Ｌ秒間隔でフラグを付加する。
【００２４】
フラグが付加された動画像データは、第１の変換部１０３に出力される。第１の変換部１０３は、ＣＰＵ１１０からフレームレートＬ×Ｎの動画像データを、表示フレームレートＰの動画像データに変換する。
【００２５】
例えば、前述のように、表示フレームレートＰが６０、フレームレートＬが１７の場合、「Ｌ×Ｎ＝５１」、となる。このため、この「５１フレーム／秒」の動画データを「６０フレーム／秒」の動画データに変換する。なお、フレームレートの変換処理は、例えば、映画用の２４コマの動画を、ビデオ用の３０フレームに変換する技術が知られており、本実施形態においても、公知の技術を用いることができる。ただし、本実施形態においては、フレームレートを変換する際、フラグが付加されたフレームは、間引かれないようにする特徴を有している。
【００２６】
表示部１０４は、第１の変換部１０３から出力されるフレームレートＰの動画像データを、フレームレートＰで表示部１０４に表示する。このように、本実施形態のビデオカメラ１００では、設定された記録フレームレートＬが低い場合でも、フレームレートＬ×Ｎで撮影された動画像データを表示部１０４に表示するようにしている。これにより、表示部１０４に表示される画面の更新周期がＬ×Ｎとなる。そのため、撮影中に表示部１０４に表示された画像を見ながら画角（ズーム）やフォーカスを容易に調整することができる。
【００２７】
一方、フレームレートＰで、かつ撮影間隔１／Ｌ秒間隔でフラグが付加された動画像データは、第２の変換部１０５にも出力される。第２の変換部１０５では、入力された動画像データのうち、フラグが付加されたフレームのみを残し、他の余分なフレームを削除することにより、フレームレートＬの動画像データを出力する。このフレームレートＬの動画像データは、圧縮部１０６に出力される。
【００２８】
圧縮部１０６は、第２の変換部１０５から出力された動画像データを公知のＭＰＥＧ等の符号化処理方式に従って符号化し、その情報量を圧縮する。このとき、圧縮部１０６は、圧縮した動画像データに対し、基準フレームレートＫの動画像データである旨の管理情報を付加して出力する。なお、本実施形態では、基準フレームレートＫの値を６０とする。Ｋの値は所定値（Ｋは自然数）とする。圧縮された動画像データは、記録部１０７により記録媒体１０８に記録される。
【００２９】
記録媒体１０８に記録された動画像データは、再生時において、基準フレームレートＫの情報に基づいて、Ｋフレーム／秒の動画像データとして復号、再生される。したがって、記録フレームレートＬの値を、基準フレームレートＫよりも小さく設定した場合にはクイック効果が得られ、記録フレームレートＬを基準フレームレートＫよりも大きくするとスロー撮影効果が得られる。
【００３０】
図４に、図１の構成における設定値の一例を挙げる。
図４は、前述のように、記録フレームレートＬとして１７を設定した場合に、各部で扱う動画像データの様子を示す図である。
【００３１】
図４において、図４（ａ）に示すように、記録フレームレートＬとして１７が設定されると、ＣＰＵ１１０は記録フレームレートＬを１７、撮像素子動作フレームレートを，「Ｌ×Ｎ＝１７ｘ３＝５１」、に設定する。撮像部１０１は、タイミング制御部１０９により制御され、図４（ｂ）に示すように、１／５１秒毎のタイミングで動画像データを撮影してフラグ生成部１０２に出力する。
【００３２】
フラグ生成部１０２は、図４（ｃ）に示すように、（５１フレーム／秒）の動画像データ中、３フレーム毎にフラグを付加する。第１の変換部１０３は、図４（ｄ）に示すように、「５１フレーム／秒」の動画像データを６０フレーム／秒の動画像データに変換する。表示部１０４は、この６０フレーム／秒の動画像を表示部１０４に表示する。
【００３３】
一方、第２の変換部１０５は、図４（ｅ）に示すように、５１フレーム／秒の動画像データのうち、フラグが付加されたフレーム以外のフレームを削除し、１７フレーム／秒の動画像データを出力する。圧縮部１０６は、この１７フレーム／秒の動画像データを圧縮するが、このとき、図４（ｆ）に示すように、基準フレームレートの値Ｋを６０として管理情報を付加する。このように記録された動画像データを再生することにより、「Ｋ／Ｌ＝６０／１７倍」のクイック撮影効果が得られる。
【００３４】
次に、本実施形態の撮像装置の制御手順を、図８のフローチャートを参照しながら説明する。
図８に示すように、ステップＳ８１において、撮像部１０１により撮影される動画像データの記録フレームレートＬを、前述したように所定の値に設定する。
【００３５】
次に、ステップＳ８２において、ステップＳ８１で設定された記録フレームレートＬと、表示部１０４に表示する表示フレームレートＰとに基づいて、撮像部１０１から出力される動画像データのフレームレートを決定する。例えば、１／２０秒、或いは１／６０秒のように決定する。そして、決定したフレームレートで動画像データを出力するよう撮像部１０１を制御する。
【００３６】
次に、ステップＳ８３に進み、ユーザにより撮影操作が行われるまで待機する。そして、ユーザにより操作部１１１が操作されて撮影の開始が指示されるとステップＳ８４に進む。ステップＳ８４においては、決定されているフレームレートで撮像部１０１から動画像データを出力する。
【００３７】
次に、ステップＳ８５において、撮像部１０１から出力される動画像データのフレームレートを、第１の変換部１０３により、表示部１０４に表示するための表示フレームレートに変換する。
【００３８】
次に、ステップＳ８６において、第１の変換部１０３により表示フレームレートに変換された動画像を表示部１０４に表示する。その後、ステップＳ８７に進み、第１の変換部１０３から出力された動画像データのフレームレートを記録フレームレートＬに変換する処理を行う。
【００３９】
次に、ステップＳ８８において、第２の変換部１０５から出力された動画像データを所定のフレームレート、例えば、基準フレームレートＫ（値６０）で再生するための管理情報と共に記録媒体１０８に記録する。
【００４０】
前述したように、本実施形態によれば、撮像部１０１から出力される動画像データのフレームレートを表示部１０４に表示するための動画像データのフレームレートを表示フレームレートＰとする第１の変換部１０３を設けた。また、動画データを記録媒体１０８に記録する記録フレームレートＬに変換する第２の変換部１０５を設けた。これにより、表示部１０４に表示される動画像のフレームレートの値と、記録媒体１０８に記録する動画像のフレームレートの値とを個別に設定することが可能となる。したがって、記録フレームレートＬが低くなった場合においても表示フレームレートＰが低くならないようにすることができる。
【００４１】
（第２の実施形態）
次に、本発明の撮像装置の第２の実施形態を説明する。
図２は、本発明の実施形態としてのビデオカメラ２００の構成例を示すブロック図である。
図２のビデオカメラ２００は、ユーザが撮影する動画像の単位時間当たりのフレーム数（フレームレート）と、動画の滑らかさと本映像に対するノイズ抑制を制御するフレーム加算数を任意に設定して動画像を撮影することができる。また、ビデオカメラ２００は、撮影された動画像のフレームレートに関わらず、撮影中に表示する動画像の画面の更新周期を決められたフレームレートに近い値としている。
【００４２】
図２において、２０１は撮像部であり、タイミング制御部２１０により撮影タイミングが変更される。２０２はフラグ生成部であり、撮像部２０１から出力された動画像データのうち指定されたフレームを識別するための第１のフラグを付加する機能を有する。２０３は変換部であり、撮像部２０１により撮影された動画像のフレームレートを表示用のフレームレートに変換すると同時に、フラグ生成部２０２の出力であるフレームの全てに第２のフラグを付加する機能を有する。２０４は表示部であり、変換部２０３から出力された撮影画像を表示する機能を有する。
【００４３】
２０５はフレーム加算部であり、変換部２０３から出力された動画像データをフレーム加算すると同時に記録用のフレームレートに変換する機能を有する。２０６はゲイン制御部であり、フレーム加算による映像信号のゲイン変化を制御する機能を有する。２０７は圧縮部であり、ゲイン制御部２０６から出力された動画像データの情報量を圧縮する機能を有する。
【００４４】
２０８は記録部であり、圧縮部２０７により圧縮された動画像データを記録媒体２０９に記録する機能を有する。２０９は記録媒体である。本実施形態では、記録媒体２０９として、大容量ハードディスクドライブやメモリカード、光ディスク等を用いる。２１０は、撮像部２０１の動作タイミングを制御するタイミング制御部、２１１は各部の動作を制御するＣＰＵ、２１２は各種のスイッチ、ボタン等を有する操作部である。
【００４５】
前述のように構成された本実施形態のビデオカメラ２００において、ユーザは操作部２１２を操作して撮影する。これにより、撮影する動画像データの１秒あたりのフレーム数Ｌと、動画の滑らかさと本映像に対するノイズ抑制を制御するフレーム加算数Ｍを任意の値に設定することが可能である。なお、本実施形態においては、設定可能なＬのフレームレートとして、１フレーム／秒〜１２０フレーム／秒の間で任意の値を設定可能とする。
【００４６】
また、ビデオカメラ２００において、ユーザは、表示部２０４に表示する撮影画像の画面更新周期Ｐ（フレームレート）を、所定値の中から適宜選択して設定することができる。例えば、表示フレームレートＰとして、３０フレーム／秒、５０フレーム／秒、６０フレーム／秒のうち、何れか１つを任意に選択可能であるとする。
【００４７】
ＣＰＵ２１１は、撮影画像の記録フレームレートＬと表示フレームレートＰ、フレーム加算数Ｍが設定されると、これら記録フレームレートＬ、表示フレームレートＰとフレーム加算数Ｍの値に基づいて、撮影中における各部の動作を制御する。
【００４８】
また、撮像部２０１は、レンズ等の光学部やモータ等のメカニズムを有し、ユーザは操作部２１２を操作することにより光学部を調整し、画角やフォーカスなどを調整することが可能である。
【００４９】
この状態で、ユーザが操作部２１２を操作することにより撮影開始を指示すると、ＣＰＵ２１１は、タイミング制御部２１０に対し、「Ｌ×Ｎ（Ｎは１以上の整数）フレーム／秒」の動画像データを撮影するよう、Ｎの値を決定して指示する。タイミング制御部２１０は、指定された撮影フレームレートに基づいて撮像部２０１における撮像素子の駆動タイミングを制御し、１／（Ｌ×Ｎ）秒毎のタイミングで撮像された動画像データをフラグ生成部２０２に出力する。
【００５０】
ここで、本実施形態においては、「Ｌ×Ｎ」が表示フレームレートＰを超えない最大の値となるように設定する。例えば、Ｐ＝６０、Ｌ＝１９とすると、Ｎ＝３となる。フラグ生成部２０２は、ＣＰＵ２１１から指示された値Ｎに基づいて撮像部２０１から出力されたフレームレートＬ×Ｎの動画像データ中、Ｎフレーム毎に選択したフレームに対して第１のフラグを付加する。つまり、フラグ生成部２０２は、撮像部２０１からの動画像データ中、１／Ｌ秒間隔で第１のフラグを付加する。
【００５１】
第１のフラグが付加された動画像データは、変換部２０３に出力される。変換部２０３は、フレームレートＬ×Ｎの動画像データを表示フレームレートＰの動画像データに変換すると同時に、Ｌ×Ｎの全フレームに第２のフラグを付加する。例えば、前述のように、フレームレートＰが６０、Ｌが１９の場合、Ｌ×Ｎが５７となる。このため、この５７フレーム／秒の動画データを６０フレーム／秒の動画データに変換し、５７フレームに第２のフラグを付加する。フレームレート変換は、同じフレームを複数回挿入することにより実現され、Ｌ×Ｎの動画像データについて、全てのフレームが間引かれないようにする。
【００５２】
表示部２０４は、変換部２０３から出力されるフレームレートＰの動画像データを、表示フレームレートＰで表示する。このように、本実施形態のビデオカメラ２００では、設定された記録フレームレートＬが低い場合でも、フレームレートＬ×Ｎで撮影された動画像データを表示することにより、表示される画面の更新周期がＬ×Ｎとなる。そのため、撮影中に表示部２０４に表示された画像を見ながら画角（ズーム）やフォーカスを容易に調整することができる。
【００５３】
一方、フレームレートＰでかつ撮影間隔１／Ｌ秒間隔で第１のフラグが付加され、Ｌ×Ｎの全フレームに第２のフラグが付加された動画像データは、フレーム加算部２０５にも出力される。フレーム加算部２０５では、第１のフラグがあるフレームを先頭にして、第２のフラグで特定されるＬ×Ｎのフレームを使用しＣＰＵ２１１から指示されたＭ枚のフレーム加算を行い、フレームレートＬの動画像をゲイン制御部２０６に出力する。
【００５４】
撮像部２０１で撮影されたフレームレートＬ×Ｎが高くなれば、１フレームに含まれるノイズ量が増える。しかし、フレーム加算部２０５においてフレーム加算することにより映像信号に対するランダムノイズレベルが低下することからノイズを抑制できると同時に、動きがある被写体に対して滑らかな映像表現を行うことが可能になる。ゲイン制御部２０６では、フレーム加算部２０５においてフレーム加算されたためにゲインアップした動画像を適切なゲインに制御する。
【００５５】
ゲイン制御部２０６の出力であるフレームレートＬの動画像データは、圧縮部２０７に出力される。圧縮部２０７は、ゲイン制御部２０６から出力された動画像データを、公知のＭＰＥＧ等の符号化処理に従って符号化し、その情報量を圧縮する。
【００５６】
このとき、圧縮部２０７は、圧縮した動画像データに対し、基準フレームレートＫの動画像データである旨の管理情報を付加して出力する。なお、本実施形態のビデオカメラ２００では、基準フレームレートＫの値を６０とする。Ｋの値は所定値（Ｋは自然数）とする。圧縮された動画像データは、記録部２０８により記録媒体２０９に記録される。
【００５７】
記録媒体２０９に記録された動画像データは、再生時において、基準フレームレートＫの情報に基づいて、Ｋフレーム／秒の動画像データとして復号、再生される。したがって、記録フレームレートＬの値を基準フレームレートＫよりも小さく設定した場合にはクイック効果が得られ、記録フレームレートＬを基準フレームレートＫよりも大きくするとスロー撮影効果が得られる。
【００５８】
図５に、図２の構成におけるビデオカメラ２００の設定値の一例を挙げる。
図５は、前述のように、記録フレームレートＬとして１９、フレーム加算数５を設定した場合に、各部で扱う動画像データの様子を示す図である。
【００５９】
図５（ａ）に示すように、記録フレームレートＬとして１９が設定されると、ＣＰＵ２１１は記録フレームレートを１９、撮像素子動作フレームレートを「Ｌ×Ｎ＝１９ｘ３＝５７」に設定する。撮像部２０１は、タイミング制御部２１０により制御され、図５（ｂ）に示すように、（１／５７）秒毎のタイミングで動画像データを撮影してフラグ生成部２０２に出力する。
【００６０】
フラグ生成部２０２は、図５（ｃ）に示すように、５７フレーム／秒の動画像データ中、３フレーム毎に第１のフラグを付加する。変換部２０３は、図５（ｄ）に示すように、５７フレーム／秒の動画像データを６０フレーム／秒の動画像データに変換すると同時に、５７フレーム全てに第２のフラグを付加する。
【００６１】
表示部２０４は、この６０フレーム／秒の動画像を表示する。一方、フレーム加算部２０５は、図５（ｅ）に示すように、ＣＰＵ２１１から指示されたフレーム加算数５を第１のフラグがあるフレームを先頭にして、第２のフラグで特定される５７フレームを使用してフレーム加算を行う。そして、図５（ｆ）で示すように、１９フレーム／秒の動画像データをゲイン制御部２０６に出力する。
【００６２】
圧縮部２０７は、この１９フレーム／秒の動画像データを圧縮するが、このとき、図５(ｇ)に示すように、基準フレームレートの値Ｋを５０として管理情報を付加する。このように記録された動画像データを再生することにより、Ｋ／Ｌ＝５０／１９倍のクイック撮影効果が得られる。
【００６３】
次に、図９のフローチャートを参照しながら本実施形態の制御手順を説明する。
ステップＳ９１において、撮像部１０１により撮影される動画像データの記録フレームレートと、動画の滑らかさと本映像に対するノイズ抑制を制御するためのフレーム加算数とを所定の値に設定する。前述したように、本実施形態においては、撮像部２０１により撮影された動画像のフレームレートに関わらず、撮影中に表示部２０４に表示する動画像の画面の更新周期を決められたフレームレートに近い値としている。
【００６４】
次に、ステップＳ９２において、撮像部２０１が出力する動画像データのフレームレートを決定する。これは、ステップＳ９１で設定された記録フレームレート、撮像部２０１の感度、フレーム加算数Ｍと表示部２０４に表示する表示フレームレートＰとに基づいて決定する。そして、決定したフレームレートの動画像データを出力するよう撮像部２０１をＣＰＵ２１１が制御する。
【００６５】
次に、ステップＳ９３において、ユーザにより撮影操作が行われるまで待機する。そして、ユーザにより操作部２１２が操作されて撮影の開始が指示されるとステップＳ９４に進む。ステップＳ９４においては、決定されているフレームレートで撮像部２０１から動画像データを出力する。
【００６６】
次に、ステップＳ９５において、変換部２０３により、撮像部２０１から出力された動画像データのフレームレートを、表示フレームレートに変換する。次に、ステップＳ９６において、変換部２０３により表示フレームレートに変換された動画像を表示部２０４に表示する。その後、ステップＳ９７に進む。
【００６７】
ステップＳ９７においては、変換部２０３により表示フレームレートに変換された動画像データのフレームレートを、フレーム加算部２０５においてフレーム加算して、記録フレームレートに変換する。
【００６８】
次に、ステップＳ９８において、フレーム加算部２０５から出力された動画像データのゲインを、ゲイン制御部２０６により制御する。その後、ステップＳ９９に進み、ゲイン制御部２０６から出力された動画像データを、基準フレームレートＫ（値６０）で再生するための管理情報と共に記録媒体２０９に記録する。
【００６９】
（第３の実施形態）
次に、本発明の撮像装置の第３の実施形態を説明する。
図３は、本実施形態のビデオカメラ３００の構成例を示すブロック図である。
図３のビデオカメラ３００は、ユーザが撮影する動画像の単位時間当たりのフレーム数（フレームレート）と、動画の滑らかさと本映像に対するノイズ抑制を制御するフレーム加算数を任意に設定して動画像を撮影することができる。また、ビデオカメラ３００は、撮影された動画像のフレームレートに関わらず、撮影中に表示する動画像の画面の更新周期を決められたフレームレートに近い値としている。
【００７０】
図３において、３０１は撮像部であり、タイミング制御部３１０により撮影タイミングが変更される。３０２はフラグ生成部であり、撮像部３０１から出力された動画像データのうち指定されたフレームを識別するためのフラグを付加する機能を有する。３０３は撮影された動画像のフレームレートを表示用のフレームレートに変換する。３０４は表示部であり、変換部３０３から出力された撮影画像を表示する機能を有する。
【００７１】
３０５はフレーム加算部であり、フラグ生成部３０２から出力された動画像データをフレーム加算すると同時に記録用のフレームレートに変換する機能を有する。３０６はゲイン制御部であり、フレーム加算による映像信号のゲイン変化を制御する機能を有する。３０７は圧縮部であり、ゲイン制御部３０６から出力された動画像データの情報量を圧縮する機能を有する。
【００７２】
３０８は圧縮部３０７により圧縮された動画像データを記録媒体３０９に記録する記録部、３０９は記録媒体である。本実施形態では、記録媒体３０９として、大容量ハードディスクドライブやメモリカード、光ディスク等を用いる。３１０は撮像部３０１の動作タイミングを制御するタイミング制御部、３１１は各部の動作を制御するＣＰＵ、３１２は各種のスイッチ、ボタン等を有する操作部である。
【００７３】
ビデオカメラ３００において、ユーザは操作部３１２を操作することにより、撮影する動画像データの１秒あたりのフレーム数Ｌと、動画の滑らかさと、本映像に対するノイズ抑制を制御するフレーム加算数Ｍを任意の値に設定することが可能である。なお、本実施形態においては、設定可能なＬのフレームレートとして、１フレーム／秒〜１２０フレーム／秒の間で任意の値を設定可能とする。
【００７４】
また、ビデオカメラ３００において、ユーザは、表示部３０４に表示する撮影画像の画面更新周期Ｐ（フレームレート）を、所定値の中から適宜選択して設定することができる。例えば、表示フレームレートＰとして、３０フレーム／秒、５０フレーム／秒、６０フレーム／秒のうち、何れか１つを任意に選択可能であるとする。
【００７５】
ＣＰＵ３１１は、撮影画像の記録フレームレートＬと表示フレームレートＰ、フレーム加算数Ｍが設定されると、設定された記録フレームレートＬ、表示フレームレートＰとフレーム加算数Ｍの値に基づいて、撮影中における各部の動作を制御する。
【００７６】
また、撮像部３０１は、レンズ等の光学部やモータ等のメカニズムを有し、ユーザは操作部３１２を操作することにより光学部を調整し、画角やフォーカスなどを調整することが可能である。
【００７７】
この状態で、ユーザが操作部３１２を操作することにより撮影開始を指示すると、ＣＰＵ３１１は、タイミング制御部３１０に対し、Ｌ×Ｎ（Ｎは１以上の整数）フレーム／秒の動画像データを撮影するよう、Ｎの値を決定して指示する。タイミング制御部３１０は、指定された撮影フレームレートに基づいて撮像部３０１における撮像素子の駆動タイミングを制御し、１／（Ｌ×Ｎ）秒毎のタイミングで撮像された動画像データをフラグ生成部３０２に出力する。
【００７８】
ここで、本実施形態においては、Ｌ×Ｎは、撮像部３０１中の撮像素子がフレーム加算部３０５におけるフレーム加算効果によるノイズ抑制効果も考慮し十分にノイズが低減できる感度になるように設定する。例えば、Ｌ＝６０、Ｎ＝２、Ｍは２、Ｐ＝５０とする。
【００７９】
フラグ生成部３０２は、ＣＰＵ３１１から指示された値Ｎに基づいて撮像部３０１から出力されたフレームレートＬ×Ｎの動画像データ中、Ｎフレーム毎に選択したフレームに対してフラグを付加する。つまり、フラグ生成部３０２は、撮像部３０１からの動画像データ中、１／Ｌ秒間隔でフラグを付加する。
【００８０】
フラグが付加された動画像データは、変換部３０３に出力される。変換部３０３は、フレームレートＬ×Ｎの動画像データを表示フレームレートＰの動画像データに変換する。例えば、前述のように、Ｐが５０、Ｌが６０、Ｎが２の場合、Ｌ×Ｎが１２０となるため、この１２０フレーム／秒の動画データを５０フレーム／秒の動画データに変換する。変換部３０３は、フレームを複数回削除することにより実現される。表示部３０４は、変換部３０３からのフレームレートＰの動画像データをフレームレートＰで表示する。
【００８１】
一方、フレームレートＰでかつ撮影間隔が（１／Ｌ）秒間隔でフラグが付加された動画像データは、フレーム加算部３０５にも出力される。フレーム加算部３０５では、フラグがあるフレームを先頭にして、ＣＰＵ３１１から指示されたＭ枚のフレーム加算を行い、フレームレートＬの動画像をゲイン制御部３０６に出力する。
【００８２】
撮像部３０１で撮影されたフレームレートＬ×Ｎが高くなれば、１フレームに含まれるノイズ量が増える。本実施形態においては、フレーム加算部３０５においてフレーム加算することにより映像信号に対するランダムノイズレベルが低下することからノイズを抑制できると同時に、動きがある被写体に対して滑らかな映像表現が可能になる。ゲイン制御部３０６では、フレーム加算部３０５においてフレーム加算されたためにゲインアップした動画像を適切なゲインに制御する。
【００８３】
ゲイン制御部３０６の出力であるフレームレートＬの動画像データは、圧縮部３０７に出力される。圧縮部３０７においては、ゲイン制御部３０６から出力された動画像データを、公知のＭＰＥＧ等の符号化処理に従って符号化し、その情報量を圧縮する。
【００８４】
このとき、圧縮部３０７は、圧縮した動画像データに対し、基準フレームレートＫの動画像データである旨の管理情報を付加して出力する。なお、本実施形態では、基準フレームレートＫの値を２４とする。基準フレームレートＫの値は所定値（Ｋは自然数）とする。圧縮部３０７において圧縮された動画像データは、記録部３０８により記録媒体３０９に記録される。
【００８５】
記録媒体３０９に記録された動画像データは、再生時において、基準フレームレートＫの情報に基づいて、Ｋフレーム／秒の動画像データとして復号、再生される。したがって、記録フレームレートＬの値を、基準フレームレートＫよりも小さく設定した場合にはクイック効果が得られ、記録フレームレートＬを基準フレームレートＫよりも大きくするとスロー撮影効果が得られる。
【００８６】
図６に、図３の構成における設定値の一例を挙げる。
図６は、前記のように、記録フレームレートＬとして６０、フレーム加算数２を設定した場合に、各部で扱う動画像データの様子を示す図である。
【００８７】
図６において、記録フレームレートＬとして６０が設定されると、ＣＰＵ３１１は記録フレームレートＬを６０、撮像素子動作フレームレートをＬ×Ｎ＝６０ｘ２＝１２０に設定する。撮像部３０１は、タイミング制御部３１０により制御され、図６（ａ）に示すように（１／１２０）秒毎のタイミングで動画像データを撮影してフラグ生成部３０２に出力する。
【００８８】
フラグ生成部３０２は、図６（ｂ）に示すように、１２０フレーム／秒の動画像データ中、２フレーム毎にフラグを付加する。変換部３０３は、図６（ｄ）に示すように、１２０フレーム／秒の動画像データを５０フレーム／秒の動画像データに変換する。表示部３０４は、この５０フレーム／秒の動画像を表示する。
【００８９】
一方、フレーム加算部３０５は、ＣＰＵ３１１から指示されたフレーム加算数２をフラグがあるフレームを先頭にしてフレーム加算を行い、図６（ｃ）で示すように、６０フレーム／秒の動画像データをゲイン制御部３０６に出力する。圧縮部３０７は、この６０フレーム／秒の動画像データを圧縮するが、このとき、図６（ｅ）に示すように、基準フレームレートの値Ｋを２４として管理情報を付加する。このように記録された動画像データを再生することにより、Ｋ／Ｌ＝２４／６０倍のスロー撮影効果が得られる。
【００９０】
次に、図１０のフローチャートを参照しながら本実施形態の制御手順を説明する。
ステップＳ１０１においては、撮像部３０１により撮影される動画像データの記録フレームレートと、動画の滑らかさと本映像に対するノイズ抑制を制御するためのフレーム加算数とを所定の値に設定する。前述したように、本実施形態においては、撮像部３０１により撮影された動画像のフレームレートに関わらず、撮影中に表示部３０４に表示する動画像の画面の更新周期を決められたフレームレートに近い値としている。
【００９１】
次に、ステップＳ１０２において、ステップＳ１０１において設定された記録フレームレート、撮像部３０１の感度とフレーム加算数とに基づいて、撮像部３０１が出力する動画像データのフレームレートを決定する。そして、決定したフレームレートの動画像データを出力するように、ＣＰＵ３１１が撮像部３０１を制御する。
【００９２】
次に、ステップＳ１０３において、ユーザにより撮影操作が行われるまで待機する。そして、ユーザにより操作部３１２が操作されて撮影の開始が指示されるとステップＳ１０４に進む。ステップＳ１０４においては、決定されているフレームレートで撮像部３０１から動画像データを出力する。
【００９３】
次に、ステップＳ１０５において、撮像部３０１から出力された動画像データのフレームレートを、変換部３０３により、表示フレームレートに変換する。その後、ステップＳ１０６に進み、変換部３０３から出力された動画像データを、表示フレームレートで表示部３０４に表示する。
【００９４】
次に、ステップＳ１０７において、撮像部３０１から出力された動画像データのフレームレートを、フレーム加算部３０５でフレーム加算して記録フレームレートに変換する。その後、ステップＳ１０８に進み、フレーム加算部３０５から出力された動画像データのゲインを、ゲイン制御部３０６により制御する。
【００９５】
次に、ステップＳ１０９において、ゲイン制御部３０６から出力された動画像データを、基準フレームレートＫ（値６０）で再生するための管理情報と共に記録媒体３０９に記録する。
【００９６】
（本発明に係る他の実施形態）
前述した本発明の実施形態における撮像装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００９７】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００９８】
なお、本発明は、前述した撮像方法における各工程を実行するソフトウェアのプログラム（実施形態では図８〜図１０に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００９９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１００】
その場合、プログラムの機能を有していれば、オブジェクトコード、インタプリタにより実行されるプログラム、ＯＳに供給するスクリプトデータ等の形態であってもよい。
【０１０１】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１０２】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【０１０３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１０４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１０５】
また、コンピュータが、読み出したプログラムを実行することによって、前述した実施形態の機能が実現される他、コンピュータ上で稼動しているＯＳなどが、実際の処理の一部または全部を行うことによっても前述した実施形態の機能が実現され得る。
【０１０６】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１０７】
【図１】本発明の第１の実施形態を示し、ビデオカメラの概略構成を説明するブロック図である。
【図２】本発明の第２の実施形態を示し、ビデオカメラの概略構成を説明するブロック図である。
【図３】本発明の第３の実施形態を示し、ビデオカメラの概略構成を説明するブロック図である。
【図４】本発明の第１の実施形態を示し、記録フレームレートとして１７を設定した場合に、各部で扱う動画像データの様子を示す図である。
【図５】本発明の第２の実施形態を示し、記録フレームレートとして１９、フレーム加算数５を設定した場合に、各部で扱う動画像データの様子を示す図である。
【図６】本発明の第３の実施形態を示し、記録フレームレートとして６０、フレーム加算数２を設定した場合に、各部で扱う動画像データの様子を示す図である。
【図７】クイックとスロー撮影を実現する仕組みを説明する図である。
【図８】本発明の第１の実施形態を示し、制御手順の一例を説明するフローチャートである。
【図９】本発明の第２の実施形態を示し、制御手順の一例を説明するフローチャートである。
【図１０】本発明の第３の実施形態を示し、制御手順の一例を説明するフローチャートである。
【符号の説明】
【０１０８】
１００  ビデオカメラ
１０１  撮像部
１０２  フラグ生成部
１０３  第１の変換部
１０４  表示部
１０５  第２の変換部
１０６  圧縮部
１０７  記録部
１０８  記録媒体
１０９  タイミング制御部
１１０  ＣＰＵ
１１１  操作部
【図１】
2010114857.tif 000003
【図２】
2010114857.tif 000004
【図３】
2010114857.tif 000005
【図４】
2010114857.tif 000006
【図５】
2010114857.tif 000007
【図６】
2010114857.tif 000008
【図７】
2010114857.tif 000009
【図８】
2010114857.tif 000010
【図９】
2010114857.tif 000011
【図１０】
2010114857.tif 000012